(57)【要約】【課題】  電話機（Ａ）、電話機（Ｂ）、電話機（Ｃ）、及び電話アダプタ１００を含む、安価、小容積の音声監視通報システムを構成する。【解決手段】  電話アダプタ１００において、信号処理部１４は、電話機（Ａ）から受け入れる音声信号を分析し、該音声信号の特性情報を取得し、情報記憶部１６は、特性情報における異常状態の範囲、及び異常状態発生時における警報通知先とを予め格納し、信号判断部１７は、信号処理部１４による上記音声信号の分析結果と、情報記憶部１６が格納する上記異常状態の範囲とを対比し、上記音声信号の分析結果が上記異常状態の範囲に含まれると、警報通知要求信号を出力し、警報通知部１８は、上記警報通知要求信号を受け入れると、上記警報通知先へ所定の警報を発する。【選択図】図２
2008258761.tif 000002
【特許請求の範囲】
【請求項１】
電話機、及び電話アダプタを含む音声監視通報システムであって、
前記電話アダプタは、
前記電話機から受け入れる音声信号を分析し、該音声信号の特性情報を取得する信号処理部と、
前記特性情報における特定の事象の範囲、及び前記特定の事象の発生時における警報通知先とを予め格納する情報記憶部と、
前記信号処理部による前記音声信号の分析結果と、前記情報記憶部が格納する前記特定の事象の範囲とを対比し、前記音声信号の分析結果が前記特定の事象の範囲に含まれると、警報通知要求信号を出力する信号判断部と、
前記警報通知要求信号を受け入れると、前記警報通知先へ所定の警報を発する警報通知部とを備えることを特徴とする音声監視通報システム。
【請求項２】
前記電話アダプタに備えるＣＰＵが、演算処理を実行することによって、前記信号処理部、前記信号判断部、及び前記警報通知部とを起動・生成する制御プログラムを予め格納するプログラムＲＯＭを更に備えることを特徴とする請求項１に記載の音声監視通報システム。
【請求項３】
前記音声信号の特性情報は、
前記電話機から受け入れる音声信号の検知レベル範囲、及び検知時間範囲を含むことを特徴とする請求項１または請求項２に記載の音声監視通報システム。
【発明の詳細な説明】
【技術分野】
【０００１】
本発明は、音声監視通報システムに関し、特に特殊な感知センサを必要とせずに、既存の電話機、及び、既存の電話アダプタを利用する音声監視通報システムに関するものである。
【背景技術】
【０００２】
従来の音声監視通報システムでは、異常検出手段と警報通知手段とを備え、異常検出手段を用いて状況の変化を監視し、特定の事象（異常状態）を検出すると、警報通知手段を用いて特定の相手に事象の発生を通知していた。以下に主な例についてその概要を説明する。
【０００３】
特許文献１は、独居老人等、安否確認対象の人物を監視するシステムであって、異常検出手段としての人体検知センサ、及び警報通知手段としての電話機を備えている。このシステムでは、監視対象者の行動範囲に複数の人体検知センサを設置し、予め監視者が設定した任意の時間に、所望する時間帯の監視対象者の行動や所定場所での行動の有無を知ることができ、かつ予め設定されている時刻になると予め登録している外部の電話機の電話番号に対して発呼する方式を開示している。
【０００４】
特許文献２は、緊急事態の発生を離れた場所に通報するシステムであって、警報通知手段として、無線緊急通報指令発生装置と、警報通知専用の電話機を備え、使用者が携帯可能な無線緊急通報指令発生装置により、緊急通報指令を発生させ、介護センタ等の特定相手に対して、公衆電話回線や専用線にて発呼する方式を開示している。
【０００５】
特許文献３は、無人状態における緊急事態の発生を離れた場所に自動的に通報するシステムであって、異常検出手段として、空気振動感知センサ、ガス感知センサ、温度変化又は煙感知センサを備え、更に、警報通知手段として、電話機もしくはポケットベルへの発信手段を備えている。このシステムでは、空気振動感知センサにより、ドアの開放またはガラス窓の破壊による空気振動を感知したり、公知のガスセンサ、温度変化又は、煙感知センサにより、異常状態を検出すると、予め設定した所定の電話番号を有する電話機に所定の警告信号を送信したり、或いは又、ポケットベルの呼び出しを行う方式を開示している。
【０００６】
特許文献４は、上記特許文献３と同様に無人状態における緊急事態の発生を離れた場所に自動的に通報するシステムであって特にホームセキュリティに関し、異常検出手段として火災センサ、ガス漏れセンサ、防犯センサを有し、警報通知手段として、電話発信機能を有している。家庭内に設置した火災感知器やガス漏れセンサ等の各種の検知装置から異常状態を検知し、緊急事態が発生した場合には、直ちに通報先である消防署やガス会社や、一般公衆回線を使用して予め登録してある連絡先に自動的に通報する方式を開示している。
【特許文献１】特開２００３−３４８２６４号公報
【特許文献２】特開２００１−１２７９１４号公報
【特許文献３】特開昭６１−２６９４５２号公報
【特許文献４】特開２００１−１８９８１４号公報
【発明の開示】
【発明が解決しようとする課題】
【０００７】
上記のいずれの監視通報システムにおいても、人体検知センサや、空気振動感知センサなどの専用の異常検出手段と、この異常検出手段に接続可能な、専用の警報通知手段とを必須の構成要素としている。したがってシステムは高価になり、且つ、設置スペースも無視できなかった。その結果、一般家庭では、これらのシステムを容易には、導入できないという解決すべき課題が残されていた。
【課題を解決するための手段】
【０００８】
本発明は、電話機、及び電話アダプタを含む音声監視通報システムであって、上記電話アダプタは、上記電話機から受け入れる音声信号を分析し、該音声信号の特性情報を取得する信号処理部と、上記特性情報における特定の事象の範囲、及び上記特定の事象の発生時における警報通知先とを予め格納する情報記憶部と、上記信号処理部による上記音声信号の分析結果と、上記情報記憶部が格納する上記特定の事象の範囲とを対比し、上記音声信号の分析結果が上記特定の事象の範囲に含まれると、警報通知要求信号を出力する信号判断部と、上記警報通知要求信号を受け入れると、上記警報通知先へ所定の警報を発する警報通知部とを備えることを主要な特徴とする。
【発明の効果】
【０００９】
以上説明したように、本発明によれば、一般家庭にある電話機と電話アダプタとを利用し、該電話アダプタに、信号処理部、信号判断部、及び警報通知部とを起動・生成する制御プログラムを追加することのみによって構成することが可能になる。その結果、ローコストで小容積の音声監視通報システムを構成することが出来るようになり、一般家庭でも、これらのシステムを容易に導入可能になるという効果を得る。
【発明を実施するための最良の形態】
【００１０】
以下、本発明の一実施形態を図を用いて詳細に説明する。
【実施例】
【００１１】
（構成）についての説明
図１は、本発明のシステム構成図である。
本発明による電話アダプタによる音声監視通報システムは、電話機（Ａ）と、電話アダプタ１００と、公衆網２００と、電話機（Ｂ）、電話機（Ｃ）、電話機（Ｄ）とを含む。図に示すように、システムの中核となる電話アダプタ１００に、電話機（Ａ）が接続されている。更に、電話アダプタ１００には、公衆網２００を介して電話機（Ｂ）、電話機（Ｃ）、電話機（Ｄ）に接続されている。
【００１２】
電話機（Ａ）、電話機（Ｂ）、電話機（Ｃ）、電話機（Ｄ）は、アナログ電話機、ディジタル電話機もしくは、ＩＰ電話機などの一般家庭にある電話機である。図において、電話機（Ａ）は、異常事態を検出するためのセンサの役割を果たす部分である。インタフェースから入力された音楽や、ＰＢ信号を検出する検出機能を有している。ここでＰＢ信号とは、プッシュフォン電話機におけるプッシュフォン信号である。又、電話機（Ｂ）、電話機（Ｃ）、電話機（Ｄ）は、警報通知の宛先の役割を果たす部分である。
【００１３】
電話アダプタ１００は、システムの中核となる部分であり、２種類のインタフェースを有し、アナログ電話機をディジタル公衆網に接続する場合や、アナログ電話機を公衆ＩＰ網に接続する場合等に使用される、一般家庭にある既存のターミナルアダプタに所定のソフトウェアを追加したものである。
【００１４】
２種類のインタフェースの一方は、アナログ電話機、ディジタル電話機、もしくは、ＩＰ電話機などの家庭内（内線）電話機と接続する為の内線インタフェースである。この内線インタフェースを介して図に示すように電話アダプタ１００と、電話機Ａとの通話路が確立される。他方は、アナログ公衆網や、ディジタル公衆網、公衆ＩＰ網などの公衆網と接続する為の回線インタフェースである。
【００１５】
以下に本システムの中核となる電話アダプタ１００の構成についてブロック図を用いて詳細に説明する。
図２は、電話アダプタの構成のブロック図である。
【００１６】
図に示すように電話アダプタ１００は、内線インタフェース部１１と、回線インタフェース部１２と、電話機制御部１３と、信号処理部１４と、操作部１５と、情報記憶部１６と、信号判断部１７と、警報通知部１８と、ＲＯＭ１９と、ＲＡＭ２０と、ＣＰＵ２１と、共通バス２２を備える。
【００１７】
内線インタフェース部１１は、上記のように電話アダプタ１００と、家庭内（又は構内）に配設されている電話機Ａとを接続するためのインタフェース回路である。この電話機Ａは、アナログ電話機、ディジタル電話機もしくは、ＩＰ電話機である。
【００１８】
回線インタフェース部１２は、上記のように電話アダプタ１００と、公衆網２００とを接続するためのインタフェース回路である。この公衆網２００には、アナログ公衆網や、ディジタル公衆網、公衆ＩＰ網などが含まれる。
【００１９】
電話機制御部１３は、電話機Ａにおけるオフフックや、オンフックを電気的に検出し、ＣＰＵ２１の制御に基づいて、電話アダプタ１００と電話機Ａとの通話路の確立・解消を実行する部分である。ここで、オフフックには、電話機の受話器を上げること、及び、電話機のハンズフリーボタン（スピーカボタン）を押下することの双方が含まれるものとする。
【００２０】
信号処理部１４は、ＣＰＵ２１の制御に基づいて、電話機Ａから内線インタフェース部１１を介して受け入れた信号を分析処理し、信号レベル、信号継続時間、などを取得する部分である。機種によっては、その信号の信号波形（周波数分布を含む）や、信号波形の繰り返し周期等も取得しても良い。
【００２１】
ここで、例えば電話機Ａから内線インタフェース部１１を介して受け入れた信号が赤ん坊の泣き声で有った場合には、その泣き声の音量レベル、その泣き声の継続時間、場合によっては、泣き声としての波形等が取得される。
【００２２】
操作部１５は、入出力手段１５Ａを有し、利用者が、情報記憶部１６に、予め所定の情報を入力する部分である。入出力手段１５Ａは、例えばダイヤルキーなどの入力手段、及び液晶表示装置などの表示手段である。
【００２３】
利用者が、情報記憶部１６に、予め入力する情報としては、警報通知先となる電話機（Ｂ）、電話機（Ｃ）、電話機（Ｄ）等の宛先が該当する。又、信号処理部１４による受け入れた信号の分析結果に基づいて警報通知先へ警報通知を行うか否かの判断基準となる閾値などが定され、格納される。
【００２４】
上記赤ん坊の泣き声を例にあげると、その泣き声の音量レベルの上限値／下限値、その泣き声の継続時間の下限値、即ち、何秒以上継続した場合に警報通知を行う対象になるかの閾値などが、予め利用者によって入力される。泣き声判断できる波形の限界声紋等を含めても良い。
【００２５】
情報記憶部１６は、操作部１５の入出力手段１５Ａを介して、利用者が、入力した、上記、警報通知先となる電話機（Ｂ）、電話機（Ｃ）、電話機（Ｄ）等のアドレス情報、受け入れた信号の信号処理部１４による分析結果に基づいて警報通知先へ警報通知を行うか否かの判断基準情報、及び警報通知の内容情報等を予め格納する不揮発性のメモリである。ここで、これらの情報を情報記憶部１６に格納するための情報テーブルの一例について説明する。
【００２６】
図３は、情報テーブルの一例説明図である。
図に示すように、情報テーブルには一例として、項番号、検知レベル範囲設定の下限、及び上限、検知時間範囲設定の下限、及び上限が、予め、利用者によって、操作部１５の入出力手段１５Ａを介して、入力設定されている。
【００２７】
ここで、一例として第１項には、−４０ｄＢ〜−１０ｄＢの音を、１．０秒から１０．０秒の間、連続して検出した場合には、通知先０３−１１１１−２２２２へ警報通知されることが設定されている。
【００２８】
再度、図２に戻って、電話アダプタ１００の構成についての説明を継続する。
信号判断部１７は、ＣＰＵ２１の制御に基づいて、信号処理部１４から受け入れた電話機Ａから内線インタフェース部１１を介して受け入れた信号の分析結果を、情報記憶部１６に格納されている情報テーブル（３図）と対比し、警報通知が必要と判断した場合には警報送付要求信号を警報通知部１８へ送出する部分である。
【００２９】
警報通知部１８は、信号判断部１７から警報送付要求信号を受け入れると、情報テーブル（３図）に記載されている通知先に対して、所定の警報通知を送信する部分である。この送信通知の内容は、情報記憶部１６に予め格納されている警報通知の内容情報から読み出すことになる。
【００３０】
ＲＯＭ１９は、ＣＰＵ２１が実行することによって、電話機制御部１３、信号処理部１４、信号判断部１７、及び警報通知部１８のはたす機能を、それぞれ起動・生成する所定の制御プログラムと、内線インタフェース部１１、回線インタフェース部１２、操作部１５、及び情報記憶部１６を、それぞれ制御する所定の制御プログラムと、装置全体を制御する所定の制御プログラムとを予め格納するリードオンリメモリである。
【００３１】
ＲＡＭ２０は、ＣＰＵ２１が上記制御プログラムを実行するときに必要になる演算領域を提供するランダムアクセスメモリである。
【００３２】
ＣＰＵ２１は、ＲＯＭ１９に格納されている、所定の制御プログラムを実行し、電話機制御部１３、信号処理部１４、信号判断部１７、及び警報通知部１８のはたす機能を、それぞれ起動・生成し、内線インタフェース部１１、回線インタフェース部１２、操作部１５、及び情報記憶部１６を、それぞれ制御し、更に、装置全体を制御するマイクロプロセッサである。共通バス２２は、各構成部分を通信接続するバスである。
【００３３】
（動作）についての説明
図４は、電話アダプタの動作フローチャートである。
以下に、本システムの中核となる電話アダプタ１００の動作に限定し、図１を併用しながら、ステップＳ１〜ステップＳ８までステップ順に説明する。一例として赤ん坊の泣き声検出の場合を想定して説明する。
【００３４】
ステップＳ１
利用者は、操作部１５の入出力手段１５Ａを用いて、一例として、泣き声として検出する検知レベル設定範囲の下限を−４０ｄＢ、上限を−１０ｄＢ、検知時間範囲の下限を１．０秒、上限を１０．０秒に、通知先を０３−１１１−２２２２に設定する。これらの設定値が情報記憶部１６の情報テーブルに格納されるとステップＳ２へ進む。格納された状態を図３の項目１に示す。
【００３５】
ステップＳ２
利用者が、電話機（Ａ）の受話器をあげるか、または、電話機Ａが、ハンズフリー機能を有している場合は、ハンズフリーボタン（スピーカボタン）を押下すると、電話機制御部１３は、内線インタフェース部１１を介してフックオフ信号（ハンズフリーボタン押下信号を含む）を受け入れる（検出）。電話機制御部１３は、フックオフ信号を受け入れると電話アダプタ１００と電話機（Ａ）との通話路を確立する。
【００３６】
ステップＳ３
信号処理部１４は、電話機（Ａ）の受話器から入力される音声信号を内線インタフェース部１１を介して受け入れて分析処理し、信号レベル、信号継続時間、信号波形の繰り返し周期などを取得する。
【００３７】
ステップＳ４
信号判断部１７は、信号処理部１４から分析処理の結果を受け入れて情報記憶部１６に格納されている情報テーブル（３図）と対比し、警報通知が必要か否かを判断する。
【００３８】
ステップＳ５
信号判断部１７が警報通知が必要と判断した場合にはステップＳ６へ進み、警報通知が必要ないと判断しない場合には、ステップＳ８へ進む。
【００３９】
ステップＳ６
信号判断部１７は、警報送付要求信号を警報通知部へ送出する。
【００４０】
ステップＳ７
警報通知部１８は、信号判断部１７から警報送付要求信号を受け入れると、情報テーブル（３図）に記載されている通知先に対して、回線インタフェース部１２を介して所定の警報通知を送信してフローを終了する。ここで、送信通知の内容は、情報記憶部１６に予め格納されている警報通知の内容情報から読み出すことになる。
【００４１】
ステップＳ８
利用者が、電話機（Ａ）の受話器を降ろした、または、電話機Ａが、ハンズフリー機能を有している場合は、ハンズフリーボタン（スピーカボタン）を元へ戻し、電話機制御部１３が、内線インタフェース部１１を介してフックオン信号（ハンズフリーボタンを元へ戻す信号を含む）を受け入れた場合にはフローを終了する。フックオン信号を受け入れていない場合にはステップＳ３へ戻り、ステップＳ３から、ステップＳ４、ステップＳ５、ステップＳ８を経てステップＳ３へ戻るループを繰り返す。ループの途中で警報通知が必要になった場合にはステップＳ６、ステップＳ７を経てフローを終了する。又、ループの途中でフックオン信号が入力された場合にもフローを終了する。
【００４２】
（効果）の説明
以上説明したように、本発明によれば、一般家庭にある電話機と電話アダプタとを利用し、該電話アダプタに所定の制御プログラムを追加するのみによって、安価に、音声監視通報システムを構成することが可能になる。これにより、専用の異常検出手段と警報通知手段の必要性が無くなる為、ローコストで小容積の音声監視通報システムを構成することが出来るという効果を得る。
【産業上の利用可能性】
【００４３】
電話アダプタ１００で、異常検出手段および、警報通知手段の両方を有しているので、検出事象（異常事態）に合わせて、警報通知の方式を変化させることも可能である。以下に、その主な方式について説明する。
【００４４】
応用例１；事象発生時間と通知時間を同期させる方式
例えば、赤ん坊が泣いている間は、通知先の電話番号に発信し、相手側で呼び出し音を鳴らすが、赤ん坊が泣き止んだ場合、発信を中止し、相手側での呼び出し音を停止させることも可能である。
【００４５】
応用例２；事象内容に応じて、通知相手との通話路の選択確立方式
例えば、小さな音を検出した場合は、通知相手にガイダンスを流すだけとし、大きな音を検出した場合には、電話機（Ａ）との通話路を確立させ、相手側に、どのような事象が起きているのかを知らせる、ということも可能である。
【００４６】
応用例２の拡張例
応用例２を更に発展させ、通知相手は、ガイダンス聴取中に、特定のＰＢダイヤルを入力した場合には、電話機（Ａ）と通知相手との通話路を確立させ、通知相手に、どのような事象が起きているのかを知らせる、ということも可能である。
【００４７】
応用例３；通知先の電話番号を複数登録可能とし、且つ、検出レベルも複数設定可能にし、事象内容に応じて、通知先を変化させる方式
例えば、検出レベルを大／小に分け、検出レベルが小の事象を検出した場合には、電話機（Ａ）Ａに通知し、検出レベルが大の事象を検出した場合には、緊急通報用の電話機（Ｂ）に通知するということも可能である。
【図面の簡単な説明】
【００４８】
【図１】本発明のシステム構成図である。
【図２】電話アダプタの構成のブロック図である。
【図３】情報テーブルの一例説明図である。
【図４】電話アダプタの動作フローチャートである。
【符号の説明】
【００４９】
１１    内線インタフェース部
１２    回線インタフェース部
１３    電話機制御部
１４    信号処理部
１５    操作部
１５Ａ    入出力手段
１６    情報記憶部
１７    信号判断部
１８    警報通知部
１９    ＲＯＭ
２０    ＲＡＭ
２１    ＣＰＵ
２２    共通バス
１００    電話アダプタ
２００    公衆網
【図１】
2008258761.tif 000003
【図２】
2008258761.tif 000004
【図３】
2008258761.tif 000005
【図４】
2008258761.tif 000006